(57)【特許請求の範囲】
【請求項１】
親プリント基板に装着された第１の電子チューナと、この第１の電子チューナの出力に接続された第１の受信処理部と、第２の電子チューナと、この第２の電子チューナの出力に接続された第２の受信処理部とから成り、前記第１の電子チューナは、高周波信号が入力される入力端子と、この入力端子に共通端子が接続されるとともに２つの分配出力を有する分配器と、この分配器の一方の出力が供給される高周波増幅回路と、この高周波増幅回路の出力が一方の入力に供給されるとともに他方の入力には局部発振回路の出力が供給される混合回路と、この混合回路の出力が供給される中間周波数増幅回路と、この中間周波数増幅回路の出力が供給される中間周波数の出力端子と、前記分配器の他方の出力が供給される高周波信号の出力端子と、前記局部発振回路にループ接続されたＰＬＬ回路と、このＰＬＬ回路にデータを入力するデータ入力端子と、これらの回路に電源を供給する電源端子と、これらの回路をプリント基板に装着すると共にこのプリント基板を収納する略四角形をした金属製のケースとから成り、前記第２の電子チューナは、高周波信号が入力される入力端子と、この入力端子に入力された信号が供給される高周波増幅回路と、この高周波増幅回路の出力が一方の入力に供給されるとともに他方の入力には局部発振回路の出力が供給される混合回路と、この混合回路の出力が供給される中間周波数増幅回路と、この中間周波数増幅回路の出力が供給される中間周波数の出力端子と、前記局部発振回路にループ接続されたＰＬＬ回路と、このＰＬＬ回路にデータを入力するデータ入力端子と、これらの回路に電源を供給する電源端子と、これらの回路をプリント基板に装着すると共にこのプリント基板を収納する略四角形をした金属製のケースとから成り、前記第１の電子チューナは前記第１の電子チューナのケースの縦側面に入力端子を設け、この縦側面に隣接する下方の横側面にそれぞれ同一形状をした前記第１の電子チューナの高周波信号の出力端子と、前記データ入力端子と、前記電源端子と、前記中間周波数の出力端子とを設け、前記第２の電子チューナは前記第２の電子チューナの下方の横側面にそれぞれ同一形状をした前記第２の電子チューナの入力端子と、前記データ入力端子と、前記電源端子と、前記中間周波数の出力端子とを設け、これら第１の電子チューナの下方の横側面に設けられた端子と前記第２の電子チューナの下方の横側面に設けられた端子は前記親プリント基板に直接半田付けされると共に、前記第１の電子チューナの高周波信号の出力端子と前記第２の電子チューナの入力端子とは前記親プリント基板上でパターン接続される複数放送波の受信装置。
【請求項２】
第１の電子チューナと第２の電子チューナのケースは共に親プリント基板に対して縦型装着される請求項１に記載の複数放送波の受信装置。
【請求項３】
第１の電子チューナは、そのケースの下方の横側面に高周波信号の出力端子と、データ入力端子と、電源端子と、出力端子とを設けると共に、この下方の横側面に隣接する両縦側面を延在して親プリント基板に装着する脚を設け、第２の電子チューナは、そのケースの下方の横側面に入力端子と、データ入力端子と、電源端子と、出力端子とを設けると共に、前記ケースの下方の横側面に隣接する両縦側面を延在して親プリント基板に装着する脚を設けた請求項２に記載の複数放送波の受信装置。
【請求項４】
第１の電子チューナは、高周波信号の出力端子と分配器の他方の出力との間に設けられた第１の信号分離手段と、前記出力端子と局部発振回路の同調電圧入力との間に設けられた第２の信号分離手段とを設け、前記第１の信号分離手段は前記分配器の他方の出力から入力された高周波信号成分を通過させると共に直流成分の通過を阻止し、前記第２の信号分離手段は前記出力端子から入力された直流成分を通過させると共に高周波信号成分の通過を阻止し、第２の電子チューナは入力端子と高周波回路との間に設けられた第１の信号分離手段と、前記入力端子と局部発振回路の同調電圧入力との間に設けられた第２の信号分離手段とを設け、前記第１の信号分離手段は前記入力端子に入力された高周波信号成分を通過させると共に直流成分の通過を阻止し、前記第２の信号分離手段は直流成分を通過させると共に高周波信号成分の通過を阻止する請求項３に記載の複数放送波の受信装置。
【請求項５】
第１の電子チューナと第２の電子チューナは共に第２の信号分離手段の配線パターンを高周波信号が伝達される配線パターンより細くした請求項４に記載の複数放送波の受信装置。
【請求項６】
第１の電子チューナと第２の電子チューナは共に第１の信号分離手段として略１０ＰＦのコンデンサを用いると共に第２の信号分離手段は略５μＨのインダクタンスを用いた請求項４に記載の複数放送波の受信装置。
【請求項７】
第１の電子チューナは、高周波信号の出力端子と分配器の他方の出力との間に設けられた第１の信号分離手段と、前記出力端子と各回路に供給される電源との間に設けられた第２の信号分離手段とを設け、前記第１の信号分離手段は前記分配器の他方の出力から入力された高周波信号成分を通過させると共に直流成分の通過を阻止し、前記第２の信号分離手段は前記出力端子から入力された直流成分を通過させると共に高周波信号成分の通過を阻止し、第２の電子チューナは入力端子と高周波回路との間に設けられた第１の信号分離手段と、前記入力端子と局部発振回路の同調電圧入力との間に設けられた第２の信号分離手段とを設け、前記第１の信号分離手段は前記入力端子に入力された高周波信号成分を通過させると共に直流成分の通過を阻止し、前記第２の信号分離手段は直流成分を通過させると共に高周波信号成分の通過を阻止する請求項３に記載の複数放送波の受信装置。
【請求項８】
第１の電子チューナと第２の電子チューナは共に第２の信号分離手段の配線を高周波信号が伝達される配線パターンより太くした請求項７に記載の複数放送波の受信装置。
【請求項９】
第１の電子チューナと第２の電子チューナは共に第１の信号分離手段として略１０ＰＦのコンデンサを用いると共に第２の信号分離手段は略５μＨのインダクタンスを用いた請求項７に記載の複数放送波の受信装置。
【請求項１０】
第２の電子チューナは、一方の縦側面近傍に入力端子を設けると共に、他方の縦側面近傍に出力端子を設けた請求項３に記載の複数放送波の受信装置。
【請求項１１】
第２の電子チューナのケースは親プリント基板に対して伏型装着する請求項１に記載の複数放送波の受信装置。
【請求項１２】
第２の電子チューナは、フレームの一方の側面近傍に入力端子を設けると共に、フレームの他方の側面近傍に出力端子を設けた請求項１１に記載の複数放送波の受信装置。
【請求項１３】
第２の電子チューナのプリント基板は、親プリント基板に対してリフロー半田可能な面実装基板とした請求項１に記載の複数放送波の受信装置。
【請求項１４】
第２の電子チューナは、プリント基板の一方の側面に入力端子を設けると共に、このプリント基板の他方の側面に出力端子を設けた請求項１３に記載の複数放送波の受信装置。
【発明の詳細な説明】
【０００１】
【発明の属する技術分野】
本発明は、テレビジョン放送波を受信して一方の放送波をブラウン管上に映し出すと共に他方の放送波を同時にビデオテープレコーダに録画するビデオテープレコーダ付テレビジョン受像機や、２画面テレビジョン受像機等に代表される複数のテレビジョン放送波を同時に受信する複数放送波の受信装置に関するものである。
【０００２】
【従来の技術】
以下、従来の複数放送波の受信装置について説明する。従来の複数放送波の受信装置は、図１５に示すように、親プリント基板１に装着された電子チューナ２と、この電子チューナ２の出力に接続された受信処理部３と、電子チューナ４と、この電子チューナ４の出力に接続された受信処理部５とで構成されていた。
【０００３】
そして、電子チューナ２は、高周波信号が入力される入力端子６と、この入力端子６に共通端子が接続されるとともに２つの分配出力を有する分配器と、この分配器の一方の出力が供給される高周波増幅回路と、この高周波増幅回路の出力が一方の入力に供給されるとともに他方の入力には局部発振回路の出力が供給される混合回路と、この混合回路の出力が供給される中間周波数増幅回路と、この中間周波数増幅回路の出力が供給される中間周波数の出力端子と、前記分配器の他方の出力が供給される高周波信号の出力端子７と、前記局部発振回路にループ接続されたＰＬＬ回路と、このＰＬＬ回路にデータを入力するデータ入力端子と、これらの回路に電源を供給する電源端子と、これらの回路をプリント基板に装着すると共にこのプリント基板を収納する略四角形をした金属製のケースとから構成されていた。
【０００４】
一方、電子チューナ４は、高周波信号が入力される入力端子８と、この入力端子８に入力された信号が供給される高周波増幅回路と、この高周波増幅回路の出力が一方の入力に供給されるとともに他方の入力には局部発振回路の出力が供給される混合回路と、この混合回路の出力が供給される中間周波数増幅回路と、この中間周波数増幅回路の出力が供給される中間周波数の出力端子と、前記局部発振回路にループ接続されたＰＬＬ回路と、このＰＬＬ回路にデータを入力するデータ入力端子と、これらの回路に電源を供給する電源端子と、これらの回路をプリント基板に装着すると共にこのプリント基板を収納する略四角形をした金属製のケースとから構成されていた。
【０００５】
そして、電子チューナ２のケースの縦側面に入力端子６を設け、この縦側面に隣接する上方の横側面に高周波信号の出力端子７を設け、下方の横側面にそれぞれ同一形状をした前記データ入力端子と、前記電源端子と、前記中間周波数の出力端子とを設けていた。
【０００６】
また、電子チューナ４は縦側面に入力端子８を設け、その下方の横側面にそれぞれ同一形状をした電子チューナ４の前記データ入力端子と、前記電源端子と、前記中間周波数の出力端子とを設けていた。
【０００７】
そして、電子チューナ２の下方の横側面に設けられた端子と電子チューナ４の下方の横側面に設けられた端子は親プリント基板１に直接半田付けされていた。
【０００８】
また、電子チューナ２の高周波信号の出力端子７と電子チューナ４の入力端子８とはフォノコネクタ付きのケーブル９で接続されていた。
【０００９】
以上のように構成された複数放送波の受信装置において、例えばビデオテープレコーダ付テレビジョン受信機においては、電子チューナ２であるチャンネルを受信してその出力をブラウン管（受信処理部３）に映し出すと共に、電子チューナ４で他のチャンネルを受信して、その出力をテープレコーダ（受信処理部５）に録画するものである。
【００１０】
【発明が解決しようとする課題】
しかしながらこのような従来の構成では、親プリント基板１に電子チューナ２や電子チューナ４を装着した後に、電子チューナ２の高周波の出力端子７と電子チューナ４の入力端子８との間をケーブル９で接続しなければならなかった。この作業は別工程であると共に手作業で行わなければならず、工数がかかり大変であった。
【００１１】
そこで本発明は、この問題を解決したもので、この別工程を不要とした複数放送波の受信装置を提供することを目的としたものである。
【００１２】
【課題を解決するための手段】
この目的を達成するために本発明の複数放送波の受信装置の第１の電子チューナは、この第１の電子チューナのケースの縦側面に入力端子を設け、この縦側面に隣接する下方の横側面にそれぞれ同一形状をした前記第１の電子チューナの高周波信号の出力端子と、データ入力端子と、電源端子と、中間周波数の出力端子とを設け、第２の電子チューナは、この第２の電子チューナの下方の横側面にそれぞれ同一形状をした前記第２の電子チューナの入力端子と、データ入力端子と、電源端子と、中間周波数の出力端子とを設け、これら第１の電子チューナの下方の横側面に設けられた端子と前記第２の電子チューナの下方の横側面に設けられた端子は親プリント基板に直接半田付けされると共に、前記第１の電子チューナの高周波信号の出力端子と関第２の電子チューナの入力端子とは前記親プリント基板上でパターン接続される構成としたものである。
【００１３】
これにより、ケーブルを装着するための別工程が不要となる。
【００１４】
【発明の実施の形態】
本発明の請求項１に記載の発明は、親プリント基板に装着された第１の電子チューナと、この第１の電子チューナの出力に接続された第１の受信処理部と、第２の電子チューナと、この第２の電子チューナの出力に接続された第２の受信処理部とから成り、前記第１の電子チューナは、高周波信号が入力される入力端子と、この入力端子に共通端子が接続されるとともに２つの分配出力を有する分配器と、この分配器の一方の出力が供給される高周波増幅回路と、この高周波増幅回路の出力が一方の入力に供給されるとともに他方の入力には局部発振回路の出力が供給される混合回路と、この混合回路の出力が供給される中間周波数増幅回路と、この中間周波数増幅回路の出力が供給される中間周波数の出力端子と、前記分配器の他方の出力が供給される高周波信号の出力端子と、前記局部発振回路にループ接続されたＰＬＬ回路と、このＰＬＬ回路にデータを入力するデータ入力端子と、これらの回路に電源を供給する電源端子と、これらの回路をプリント基板に装着すると共にこのプリント基板を収納する略四角形をした金属製のケースとから成り、前記第２の電子チューナは、高周波信号が入力される入力端子と、この入力端子に入力された信号が供給される高周波増幅回路と、この高周波増幅回路の出力が一方の入力に供給されるとともに他方の入力には局部発振回路の出力が供給される混合回路と、この混合回路の出力が供給される中間周波数増幅回路と、この中間周波数増幅回路の出力が供給される中間周波数の出力端子と、前記局部発振回路にループ接続されたＰＬＬ回路と、このＰＬＬ回路にデータを入力するデータ入力端子と、これらの回路に電源を供給する電源端子と、これらの回路をプリント基板に装着すると共にこのプリント基板を収納する略四角形をした金属製のケースとから成り、前記第１の電子チューナは前記第１の電子チューナのケースの縦側面に入力端子を設け、この縦側面に隣接する下方の横側面にそれぞれ同一形状をした前記第１の電子チューナの高周波信号の出力端子と、前記データ入力端子と、前記電源端子と、前記中間周波数の出力端子とを設け、前記第２の電子チューナは前記第２の電子チューナの下方の横側面にそれぞれ同一形状をした前記第２の電子チューナの入力端子と、前記データ入力端子と、前記電源端子と、前記中間周波数の出力端子とを設け、これら第１の電子チューナの下方の横側面に設けられた端子と前記第２の電子チューナの下方の横側面に設けられた端子は前記親プリント基板に直接半田付けされると共に、前記第１の電子チューナの高周波信号の出力端子と前記第２の電子チューナの入力端子とは前記親プリント基板上でパターン接続される複数放送波の受信装置であり、第１の電子チューナの高周波出力端子と第２の電子チューナの入力端子とは親プリント基板に直接半田付け接続されるので、従来のように高周波コネクタを装着したケーブルを別工程で装着する必要はなく、これらの工程は同一工程で半田付けされるので、この複数放送波の受信装置工数削減ができ、生産性を向上させることができる。
【００１５】
また、ケーブルを用いることなく親プリント基板に直接半田付けすることができるので、特に振動に対する信頼性が増す。
【００１６】
更に、第２の電子チューナにおいては、入力端子として大形状のコネクタを用いることなく、他のデータ入力端子や電源端子や出力端子と同一形状の端子を使用するので、第２の電子チューナの薄型化が図れる。また、大型のコクネタが不要であるので、軽量化と低価格化が図れる。
【００１７】
請求項２に記載の発明は、第１の電子チューナと第２の電子チューナのケースは共に親プリント基板に対して縦型装着される請求項１に記載の複数放送波の受信装置であり、親プリント基板に対して縦型に装着することができるので、親プリント基板の実装密度が向上する。
【００１８】
請求項３に記載の発明の第１の電子チューナは、そのケースの下方の横側面に高周波信号の出力端子と、データ入力端子と、電源端子と、出力端子とを設けると共に、この下方の横側面に隣接する両縦側面を延在して親プリント基板に装着する脚を設け、第２の電子チューナは、そのケースの下方の横側面に入力端子と、データ入力端子と、電源端子と、出力端子とを設けると共に、前記ケースの下方の横側面に隣接する両縦側面を延在して親プリント基板に装着する脚を設けた請求項２に記載の複数放送波の受信装置であり、これらの端子の両端は、脚で高周波的にシールドされることになり、これらの端子は高周波的に外部から守られることになる。
【００１９】
請求項４に記載の発明の第１の電子チューナは、高周波信号の出力端子と分配器の他方の出力との間に設けられた第１の信号分離手段と、前記出力端子と局部発振回路の同調電圧入力との間に設けられた第２の信号分離手段とを設け、前記第１の信号分離手段は前記分配器の他方の出力から入力された高周波信号成分を通過させると共に直流成分の通過を阻止し、前記第２の信号分離手段は前記出力端子から入力された直流成分を通過させると共に高周波信号成分の通過を阻止し、第２の電子チューナは入力端子と高周波回路との間に設けられた第１の信号分離手段と、前記入力端子と局部発振回路の同調電圧入力との間に設けられた第２の信号分離手段とを設け、前記第１の信号分離手段は前記入力端子に入力された高周波信号成分を通過させると共に直流成分の通過を阻止し、前記第２の信号分離手段は直流成分を通過させると共に高周波信号成分の通過を阻止する請求項３に記載の複数放送波の受信装置であり、第１の電子チューナの高周波信号の出力端子と第２の電子チューナの入力端子に局部発振回路の同調電圧を重畳させているので、直接外部から電子チューナの選局を行うことができ、検査効率を高めることができる。また、同調電圧を導出する端子が独立しては必要とはならないので、小型化を図ると共に低価格化が実現できる。
【００２０】
請求項５に記載の発明は、第１の電子チューナと第２の電子チューナは共に第２の信号分離手段の配線パターンを高周波信号が伝達される配線パターンより細くした請求項４に記載の複数放送波の受信装置であり、配線パターンが細いので、プリント基板の設計自由度が増すと共に小型化が図れる。
【００２１】
請求項６に記載の発明は、第１の電子チューナと第２の電子チューナは共に第１の信号分離手段として略１０ＰＦのコンデンサを用いると共に第２の信号分離手段は略５μＨのインダクタンスを用いた請求項４に記載の複数放送波の受信装置であり、簡単な構成で第１の信号分離手段と第２の信号分離手段が実現できる。
【００２２】
請求項７に記載の発明の第１の電子チューナは、高周波信号の出力端子と分配器の他方の出力との間に設けられた第１の信号分離手段と、前記出力端子と各回路に供給される電源との間に設けられた第２の信号分離手段とを設け、前記第１の信号分離手段は前記分配器の他方の出力から入力された高周波信号成分を通過させると共に直流成分の通過を阻止し、前記第２の信号分離手段は前記出力端子から入力された直流成分を通過させると共に高周波信号成分の通過を阻止し、第２の電子チューナは入力端子と高周波回路との間に設けられた第１の信号分離手段と、前記入力端子と局部発振回路の同調電圧入力との間に設けられた第２の信号分離手段とを設け、前記第１の信号分離手段は前記入力端子に入力された高周波信号成分を通過させると共に直流成分の通過を阻止し、前記第２の信号分離手段は直流成分を通過させると共に高周波信号成分の通過を阻止する請求項３に記載の複数放送波の受信装置であり、第１のチューナは高周波信号の出力端子から、第２のチューナは入力端子からそれぞれ電源を供給することができるので、電源を供給する端子が独立しては必要とならないため、小型化を図ると共に低価格化が実現できる。
【００２３】
請求項８に記載の発明は、第１の電子チューナと第２の電子チューナは共に第２の信号分離手段の配線を高周波信号が伝達される配線パターンより太くした請求項７に記載の複数放送波の受信装置であり、電源パターンが太くなっているので直流抵抗が少なく、配線パターンによる電圧降下が少ないと共に、無駄な電力を消費しない。
【００２４】
請求項９に記載の発明は、第１の電子チューナと第２の電子チューナは共に第１の信号分離手段として略１０ＰＦのコンデンサを用いると共に第２の信号分離手段は略５μＨのインダクタンスを用いた請求項７に記載の複数放送波の受信装置であり、簡単な構成で第１の信号分離手段と第２の信号分離手段が実現できる。
【００２５】
請求項１０に記載の発明の第２の電子チューナは、一方の縦側面近傍に入力端子を設けると共に、他方の縦側面近傍に出力端子を設けた請求項３に記載の高周波装置であり、第２のチューナの入力信号と出力信号との間の絶縁が大きくなる。
【００２６】
請求項１１に記載の発明の第２の電子チューナのケースは親プリント基板に対して伏型装着する請求項１に記載の複数放送波の受信装置であり、親プリント基板に対して伏型であるので、電子部品を実装した後の親プリント基板の厚みが薄い部分が増加し、この親プリント基板に隣接する他の部品の設計自由度が増す。
【００２７】
請求項１２に記載の発明の第２の電子チューナは、フレームの一方の側面近傍に入力端子を設けると共に、フレームの他方の側面近傍に出力端子を設けた請求項１１に記載の複数放送波の受信装置であり、第１の電子チューナの高周波信号の出力端子と第２の電子チューナの入力端子にそれぞれ局部発振回路の同調電圧を重畳させているので、直接外部から電子チューナの選局を行うことができ、検査効率を高めることができる。
【００２８】
請求項１３に記載の発明の第２の電子チューナのプリント基板は、親プリント基板に対してリフロー半田可能な面実装基板とした請求項１に記載の複数放送波の受信装置であり、第２の電子チューナはリフロー半田付けができるので、半田付け品質の良いチューナが実現できる。
【００２９】
請求項１４に記載の発明の第２の電子チューナは、プリント基板の一方の側面に入力端子を設けると共に、このプリント基板の他方の側面に出力端子を設けた請求項１３に記載の複数放送波の受信装置であり、入力端子と出力端子との間の絶縁を高めることができる。
【００４２】
以下、図面に従って本発明の実施の形態を説明する。
（実施の形態１）
図１は、本発明の実施の形態１における複数放送波の受信装置の斜視図であり、図２は第１の電子チューナのブロック図であり、図３は第２の電子チューナのブロック図である。図１に示すように、本実施の形態による受信装置は、親プリント基板１１に装着された略四角形をした金属製の電子チューナ１２と、この電子チューナ１２の出力に接続された受信処理部１３と、前記電子チューナ１２と略平行に配置された電子チューナ１４と、この電子チューナ１４の出力に接続された受信処理部１５とから成り、例えば、ビデオテープレコーダ付テレビジョン受像機を構成していた。なお、この詳細については図１４で説明する。
【００４３】
電子チューナ１２は、図２に示すように高周波信号が入力される入力端子２１と、この入力端子２１に共通端子が接続されるとともに２つの分配出力を有する分配器２２と、この分配器２２の一方の出力が接続される高周波増幅回路２３と、この高周波増幅回路２３の出力が一方の入力に接続されるとともに他方の入力には局部発振回路２４の出力が接続される混合回路２５と、この混合回路２５の出力が接続される中間周波数増幅回路２６と、この中間周波数増幅回路２６の出力が接続される中間周波数の出力端子２７と、この分配器２２の他方の出力が接続される第１の信号分離手段２８と、この第１の信号分離手段２８の出力が接続される高周波信号の出力端子２９と、この出力端子２９と局部発振回路２４との間に接続された第２の信号分離手段３５と、前記局部発振回路２４にループ接続されたＰＬＬ回路３０と、このＰＬＬ回路３０にデータを入力するデータ入力端子３１（このデータ入力端子には、データ端子と、クロック端子と、イネーブル端子の３端子を有する）と、これらの回路に電源を供給する電源端子３２（この電源端子には、５Ｖ電源の端子と、９Ｖ電源の端子と、局部発振回路２４のバリキャップダイオード用の３０Ｖ電源の端子がある）と、これらの回路をプリント基板に装着すると共にこのプリント基板を収納する略四角形をした金属製のケースとから構成されている。また、３３はＰＬＬ回路３０から出力されるロック信号の端子である。
【００４４】
また、電子チューナ１４は、図３に示すように高周波信号が入力される入力端子４１と、この入力端子４１に入力された信号が接続された第１の信号分離手段４２と、この第１の信号分離手段４２の出力に接続された入力回路４３と、この入力回路４３の出力に接続された高周波増幅回路４４と、この高周波増幅回路４４の出力に接続された段間同調回路４５と、この段間同調回路４５の出力が一方の入力に接続されるとともに他方の入力には局部発振回路４６の出力が接続された混合回路４７と、この混合回路４７の出力が接続された中間周波数増幅回路４８と、この中間周波数増幅回路４８の出力が接続された中間周波数の出力端子４９と、前記局部発振回路４６にループ接続されたＰＬＬ回路５０と、このＰＬＬ回路５０にデータを入力するデータ入力端子５１と、前記入力端子４１と局部発振回路４６との間に接続された第２の信号分離手段５５と、これらの回路に電源を供給する電源端子５２と、これらの回路をプリント基板に装着すると共にこのプリント基板を収納する略四角形をした金属製のケースとから構成されている。
【００４５】
また、データ入力端子５１には、データ端子と、クロック端子と、イネーブル端子の３端子があり、電源端子５２には、５Ｖ電源の端子と、９Ｖ電源の端子と、局部発振回路４６のバリキャップダイオード用の３０Ｖ電源の端子がある。また、５３はＰＬＬ回路５０から出力されるロック信号の端子である。
【００４６】
なお、前記電子チューナ１２の高周波増幅回路２３に電子チューナ１４のように入力回路４３や段間同調回路４５を含めても良い。
【００４７】
また、電子チューナ１２と電子チューナ１４の第１の信号分離手段２８と４２は、入力端子２１や４１に入力される略５０ＭＨｚ以上の高周波信号を損失なく通過させると共に、直流信号の通過を阻止するものであり、本実施の形態では１０ＰＦのコンデンサを用いている。第２の信号分離手段３５と５５は、前記高周波信号の通過を阻止すると共に直流信号を通過させるものであり、本実施の形態では、５μＨのインダクタンスを使用している。この第２の信号分離手段３５や５５の入力や出力のパターン配線は、同調電圧を供給するときはなるべく細くすることが小型化する点で望ましい。また、電源供給に用いるときはインピーダンスを下げるためなるべく太くすることが望ましい。本実施の形態では、少なくとも高周波信号の配線パターンと比較して、これよりも細く、或いは太くすることにしている。
【００４８】
次に、図４（ａ）（ｂ）に示すように、電子チューナ１２はケース６１の縦側面６２にフォノ型の入力端子２１を設け、この縦側面６２に隣接する下方の横側面６３にそれぞれ同一形状をした高周波信号の出力端子２９と、データ入力端子３１と、電源端子３２と、中間周波数の出力端子２７とを設けている。また、縦側面６２と６４を下方に延在して親プリント基板１１に装着する脚６５と６６を設けている。そしてこの一方の脚６５近傍の横側面に高周波信号の出力端子２９が設けられると共に他方の脚６６の近傍に中間周波数の出力端子２７が設けられている。
【００４９】
このように高周波信号の出力端子２９と出力端子２７を離して配置することにより、入力と出力との間の混信が防げる。そしてこの高周波信号の出力端子２９と出力端子２７との間に電源端子３２やデータ入力端子３１が同一側面上に設けられている。これらの端子は全てリード線タイプのものであり、一括して親プリント基板１１にディップ半田付けすることができる。また、脚６５と６６と横側面６３でこれらの端子を囲っているので、外部と電磁的に隔離することができる。
【００５０】
次に、図５を用いて電子チューナ１４を説明する。電子チューナ１４は電子チューナ１２と次の点を除いて同様である。すなわち、ケース７１の縦側面７２には入力端子４１を設けていない。この入力端子４１はこの縦側面７２に隣接する下方の横側面７３にそれぞれ同一形状をした入力端子４１と、データ入力端子５１と、電源端子５２と、中間周波数の出力端子４９とを設けている。また、縦側面７２を下方に延在して親プリント基板１１に装着する脚７４を設けている。そしてこの一方の脚７４近傍の横側面７３に入力端子４１が設けられると共に他方の脚７４の近傍に中間周波数の出力端子４９が設けられている。
【００５１】
このように入力端子４１と出力端子４９を離して配置することにより、入力と出力との間の混信が防げる。そしてこの入力端子４１と出力端子４９との間に電源端子５２やデータ入力端子５１が同一側面上に設けられている。これらの端子は全てリード線タイプのものであり、一括して親プリント基板にディップ半田付けすることができる。
【００５２】
また、脚７４と横側面７３でこれらの端子を囲っているので、外部と電磁的に隔離することができる。
【００５３】
このように電子チューナ１２と電子チューナ１４は共に親プリント基板１１に対して縦型装着されているので、親プリント基板の実装密度が向上する。
【００５４】
（実施の形態２）
図６は、実施の形態２による電子チューナの裏面図及び側面図である。尚、電気回路に関しては実施の形態１の図３と同様である。これらの回路はプリント基板（図示せず）に装着して、図６に示すように金属製のケース８０に収納されている。このケース８０は略長方形のフレーム（枠体）８１と、このフレーム８１の表と裏にそれぞれ被せられたカバー８２とで構成されている。このフレーム８１から下方に延在させて親プリント基板（図示せず）に装着する脚８４が設けられている。そしてこの一方の脚８４近傍の横側面に入力端子４１が設けられると共に他方の脚８４の近傍に出力端子４９が設けられている。このように配置することにより、入力と出力との間の混信が防げる。そしてこの入力端子４１と出力端子４９との間に電源端子５２やデータ入力端子５１が同一側面上に設けられている。これらの端子は全てリード線タイプのものであり、一括して親プリント基板にディップ半田付けすることができる。
【００５５】
また、これらの端子は下カバー８２に設けられた楕円状のスリット８５から外部へ導出されている。
【００５６】
（実施の形態３）
図７は、実施の形態３による面実装部品とした電子チューナの裏面図及び側面図である。尚、電気回路に関しては実施の形態１の図３と同様である。これらの回路はプリント基板９１に装着されて、図７に示すように金属製のケース９２が被せられている。このプリント基板９１は略正方形をしており、その側面には端子を設けてリフロー半田付けを可能にしている。プリント基板９１の一方の側面には入力端子４１や電源端子５２が設けられており、他方の側面にはＰＬＬ回路５０のデータ入力端子５１や出力端子４９が設けられている。ここでもやはり入力端子４１と出力端子４９とは対角線上に設け、その距離を離している。
【００５７】
なお、９３は隣接した側面に設けられたグランド端子であり、このグランド端子９３で入力端子４１と出力端子４９とを高周波的に分離している。
【００５８】
（実施の形態４）
図８は、実施の形態４における複数放送波の受信装置の斜視図であり、図９はその回路図である。本実施の形態４は、一つのケース１０１内に二つの電子チューナを装着したものである。１０２は受信処理部であり、この受信処理部１０２内には、第１の受信処理部と第２の受信処理部が装着されている。そして、電子チューナと受信処理部１０２とは親プリント基板１０３に装着されている。
【００５９】
そして、図９に示すように、この電子チューナの内、第１の電子チューナ部は、高周波信号が入力される入力端子１１１と、この入力端子１１１に共通端子が接続されるとともに２つの分配出力を有する分配器１１２と、この分配器１１２の一方の出力が供給される高周波増幅回路１１３と、この高周波増幅回路１１３の出力が一方の入力に供給されるとともに他方の入力には局部発振回路１１４の出力が供給される混合回路１１５と、この混合回路１１５の出力が供給される中間周波数増幅回路１１６と、この中間周波数増幅回路１１６の出力が供給される中間周波数の出力端子１１７と、分配器１１２の他方の出力が供給される高周波信号の出力１１９と、前記局部発振回路１１４にループ接続されたＰＬＬ回路１２７から構成されている。
【００６０】
一方、第２の電子チューナ部は、高周波信号が入力される入力１２０と、この入力１２０に入力された信号が供給される高周波増幅回路１２１と、この高周波増幅回路１２１の出力が一方の入力に供給されるとともに他方の入力には局部発振回路１２２の出力が供給される混合回路１２３と、この混合回路１２３の出力が供給される中間周波数増幅回路１２４と、この中間周波数増幅回路１２４の出力が供給される中間周波数の出力端子１２５と、局部発振回路１２２にループ接続されたＰＬＬ回路１２６とで構成されている。
【００６１】
そして、第１の電子チューナ部と第２の電子チューナ部の共通回路として、ＰＬＬ回路１２６と１２７にデータを入力するデータ入力端子１２８を設けており、このデータ入力端子１２８は、それぞれゲート回路１２９と１３０を介してＰＬＬ回路１２６と１２７に接続されている。このゲート回路１２９と１３０はゲート選択端子１３１から入力されるゲート選択信号により、どちらかが選択されるようになっている。このことにより、データ信号（データ信号、クロック信号、イネーブル信号）の端子の数を半分にすることができる。また、１３２は電源端子（５Ｖ、９Ｖ、３０Ｖ）であるが、これらの電源も第１のチューナ部と第２のチューナ部の電源を共用している。従って、電源端子も半分にすることができる。また、１３３は水晶発振子であり、発振回路１３４を介してＰＬＬ回路１２６と１２７の基準周波数入力に接続されている。従って、水晶発振子１３３も１つで良いことになる。
【００６２】
そして、これら第１の電子チューナ部と第２の電子チューナ部の回路を同一のプリント基板（図示せず）に装着している。そして、このプリント基板は図８に示すように略四角形をした１個の金属製のケース１０１に収納されている。また、このケース１０１の一方の側面にそれぞれ同一形状をした第１の電子チューナ部の入力端子１１１と、中間周波数の出力端子１１７と、第２の電子チューナ部の中間周波数の出力端子１２５とを設け、これらの端子は親プリント基板１０３に直接半田付けされている。また、第１の電子チューナ部の高周波信号の出力１１９と第２の電子チューナ部の入力１２０とはプリント基板内でパターン接続されている。
【００６３】
従って、第１の電子チューナ部の高周波信号の出力１１９と第２の電子チューナ部の入力１２０とはプリント基板内でパターン接続されているので、電子チューナの工数の削減ができる。よって、この電子チューナを用いれば、従来のように高周波コネクタを装着したケーブルを別工程で装着する必要はなく、複数放送波の受信装置の工数削減ができ、生産性を向上させることができる。
【００６４】
また、電子チューナは一つのケース１０１に実装されているので、小型化が図れると共に管理コストが低減する。
【００６５】
更に、ケーブルを用いることなくプリント基板内で直接半田付けされているので振動に対する信頼性が高い。
【００６６】
更にまた、入力端子１１１として大形状のコネクタを用いることなく、他のデータ入力端子１２８や電源端子１３２や出力端子１１７や１２５と同一形状の端子を使用するので、電子チューナの薄型化が図れる。また、大型のコネクタが不要であるので、軽量化と低価格化が図れる。
【００６７】
また、この電子チューナは共に親プリント基板１０３に対して縦型に装着しているので、親プリント基板１０３の実装密度が向上する。なお、電子チューナの下方の横側面に隣接する両縦側面を延在して親プリント基板に装着する脚を設けると、この脚が端子の両端を高周波的にシールドすることになり、これらの端子を高周波的に外部から守られることになる。
【００６８】
（実施の形態５）
更に、図１０に示すように、第１の電子チューナ部をプリント基板１４０の表面に形成すると共に、その裏面に第２の電子チューナ部を形成すれば、一枚のプリント基板１４０の両面にそれぞれ電子チューナを装着するので、電子チューナの小型化を図ることができる。
【００６９】
なお、このプリント基板１４０は多層基板を使用し、その内層にグランドプレーン１４１を設けて第１の電子チューナ部と第２の電子チューナ部とを高周波的に分離することが重要である。
【００７０】
（実施の形態６）
更にまた、図１１に示すように、第１の電子チューナ部と第２の電子チューナ部をプリント基板の表面に形成すると共に、第１の電子チューナ部と第２の電子チューナ部との間に金属製の仕切板１５０を設けると、第１の電子チューナ部と第２の電子チューナ部とは仕切板１５０で仕切られるので、お互いの影響を少なくすることができる。
【００７１】
（実施の形態７）
図１２は、実施の形態７による電子チューナであり、１５０はそのケースである。電気回路に関しては実施の形態４の図９と同様である。これらの回路はプリント基板（図示せず）に装着され、図１２に示すように金属製のケース１５０に収納されている。このケース１５０は略長方形のフレーム（枠体）１５１と、このフレーム１５１の表と裏にそれぞれ被せられたカバー１５２とで構成されている。このフレーム１５１から下方に延在させて親プリント基板（図示せず）に装着する４個の脚１５４が設けられている。そしてこの一方の脚１５４近傍の横側面に入力端子１１１が設けられると共に他方の脚１５４の近傍に出力端子１１７と１２５が設けられている。このように配置することにより、入力と出力との間の混信が防げる。そしてこの入力端子１１１と出力端子１１７，１２７との間に電源端子１３２やデータ入力端子１２８が同一側面上に設けられている。これらの端子は全てリード線タイプのものであり、一括して親プリント基板にディップ半田付けすることができる。
【００７２】
また、これらの端子は下カバー１５２に楕円状のスリット１５５と１５６が平行して設けられるとともに１５５，１５６から端子が外部へ導出されている。なお、このスリット１５５に沿って第１のチューナ部が形成され、スリット１５６に沿って第２のチューナ部が形成される。
【００７３】
このように実装された本実施の形態では、電子部品を実装した後の親プリント基板の厚みを薄くすることができるので、親プリント基板を積層収納した複数放送波の受信装置が実現できる。
【００７４】
（実施の形態８）
図１３は、実施の形態８による面実装部品とした電子チューナの裏面図及び側面図である。尚、電気回路に関しては実施の形態４の図９と同様である。これらの回路はプリント基板１６１に装着されて、図１３に示すように金属製のケース１６２が被せられている。このプリント基板１６１は略正方形をしており、その側面には端子を設けてリフロー半田付けを可能にしている。プリント基板１６１の一方の側面には入力端子１１１や電源端子１３２や出力端子１１７が設けられており、他方の側面にはＰＬＬ回路１２６，１２７のデータ入力端子１２８や出力端子１２５が設けられている。ここでもやはり入力端子１１１と出力端子１１７や１２５とはその距離を離している。
【００７５】
なお、１６３は隣接した側面に設けられたグランド端子であり、このグランド端子１６３で第１の電子チューナ部と第２の電子チューナ部とを高周波的に分離している。
【００７６】
このように実装された本実施の形態においては、リフロー半田付けができるので、半田付け品質の良い複数放送波の受信装置が実現できる。
【００７７】
（実施の形態９）
図１４は、本発明の複数放送波の受信装置として、ビデオテープレコーダ付テレビジョン受像機について説明したものである。すなわち、１７１は高周波信号の入力端子であり、１７２と１７３はそれぞれ第１の電子チューナ部と第２のチューナ部である。ここで第１の電子チューナ部１７２と第２の電子チューナ部１７３はプリント基板上でパターン配線１７４で接続されている。従って、そのための接続ケーブルは必要ない。また、その取り付け工数も不要となる。
【００７８】
また、第１の電子チューナ部１７２の出力は第１の信号処理部１７５に接続されており、第２の電子チューナ部１７３の出力は第２の信号処理部１７６に接続されている。すなわち、第１の電子チューナ部１７２の出力はＶＩＦ回路１７７に接続され、その出力はビデオとテレビの切替回路１７８の一方の端子に接続されている。この切替回路１７８の出力は映像信号生成回路１７９を介してブラウン管１８０に接続される。一方第２の電子チューナ部１７３の出力はＶＩＦ回路１８１に接続され、その出力はビデオテープレコーダのメカ１８２に接続されている。そして、切替回路１７８がＡ方向に切り替えられていれば、第１の電子チューナ部１７２で選局したテレビジョン放送をブラウン管１８０で観賞すると共に、電子チューナ部１７３で選局したテレビジョン放送をビデオテープレコーダのメカ１８２で同時に録画することができる。
【００７９】
【発明の効果】
以上のように本発明によれば、複数放送波の受信装置の第１の電子チューナは、この第１の電子チューナのケースの縦側面に入力端子を設け、この縦側面に隣接する下方の横側面にそれぞれ同一形状をした前記第１の電子チューナの高周波信号の出力端子と、データ入力端子と、電源端子と、中間周波数の出力端子とを設け、第２の電子チューナは、この第２の電子チューナの下方の横側面にそれぞれ同一形状をした前記第２の電子チューナの入力端子と、データ入力端子と、電源端子と、中間周波数の出力端子とを設け、これら第１の電子チューナの下方の横側面に設けられた端子と前記第２の電子チューナの下方の横側面に設けられた端子は親プリント基板に直接半田付けされると共に、前記第１の電子チューナの高周波信号の出力端子と前記第２の電子チューナの入力端子とは前記親プリント基板上でパターン接続される構成としたものであり、これにより、第１の電子チューナの高周波出力端子と第２の電子チューナの入力端子とは親プリント基板で直接半田付け接続されるので、従来のように高周波コネクタを装着したケーブルを別工程で装着する必要はなく、これらの工程は同一工程で半田付けされるので、この複数放送波の受信装置の工数削減ができ、生産性を向上させることができる。
【００８０】
また、ケーブルを用いることなく親プリント基板に直接半田付けすることができるので、特に振動に対する信頼性が増す。
【００８１】
更に、第２の電子チューナにおいては、入力端子として大形状のコネクタを用いることなく、他のデータ入力端子や電源端子や出力端子と同一形状の端子を使用するので、第２の電子チューナの薄型化が図れる。また、大型のコネクタが不要であるので、軽量化と低価格化が図れる。
【図面の簡単な説明】
【図１】本発明の実施の形態１による複数放送波の受信装置の斜視図
【図２】同、複数放送波の受信装置に使用する第１の電子チューナのブロック図
【図３】同、第２の電子チューナのブロック図
【図４】（ａ）は、同、第１の電子チューナの正面図
（ｂ）は、同、前面図
【図５】（ａ）は、同、第２の電子チューナの正面図
（ｂ）は、同、前面図
【図６】（ａ）は、実施の形態２による第２の電子チューナの裏面図
（ｂ）は、同、側面図
【図７】（ａ）は、実施の形態３による第２の電子チューナの裏面図
（ｂ）は、同、側面図
【図８】本発明の実施の形態４による複数放送波の受信装置の斜視図
【図９】同、複数放送波の受信装置に使用する電子チューナのブロック図
【図１０】同、実施の形態５における電子チューナの前面図
【図１１】同、実施の形態６における電子チューナの側面図
【図１２】（ａ）は、実施の形態７による電子チューナの裏面図
（ｂ）は、同、側面図
【図１３】（ａ）は、実施の形態８による電子チューナの裏面図
（ｂ）は、同、側面図
【図１４】同、実施の形態９による複数放送波の受信装置の一例としてのビデオテープレコーダ付テレビジョン受像機のブロック図
【図１５】従来の複数放送波の受信装置の斜視図
【符号の説明】
１１  親プリント基板
１２  第１の電子チューナ
１３  第１の信号処理部
１４  第２の電子チューナ
１５  第２の信号処理部
２１  入力端子
２２  分配器
２３  高周波増幅回路
２４  局部発振回路
２５  混合回路
２６  中間周波数増幅回路
２７  出力端子
２９  高周波信号の出力端子
３０  ＰＬＬ回路
３１  データ入力端子
３２  電源端子
４１  高周波信号の入力端子
４４  高周波増幅回路
４６  局部発振回路
４７  混合回路
４８  中間周波数増幅回路
４９  出力端子
５０  ＰＬＬ回路
５１  データ入力端子
５２  電源端子
【図１】
0003633278.tif 000002
【図２】
0003633278.tif 000003
【図３】
0003633278.tif 000004
【図４】
0003633278.tif 000005
【図５】
0003633278.tif 000006
【図６】
0003633278.tif 000007
【図７】
0003633278.tif 000008
【図８】
0003633278.tif 000009
【図９】
0003633278.tif 000010
【図１０】
0003633278.tif 000011
【図１１】
0003633278.tif 000012
【図１２】
0003633278.tif 000013
【図１３】
0003633278.tif 000014
【図１４】
0003633278.tif 000015
【図１５】
0003633278.tif 000016